(57)【特許請求の範囲】
【請求項１】
スキャナの入出力法において、１３５等の一連のネガフィルムからの入出力を、
１）モニタ調整においては、反射濃度０．７を中心に中間明度（０．４と０．１０）及び白（０．１）、黒（２．０）の反射型５段階無彩色基準チャート７を約５０００ｋ色評価蛍光ランプを有するライトボックス８に配してこれを隣接さたモニタ１０の画面１１に呼び出した該反射型５段階無彩色基準チャートのデジタルデータ１２（ＲＧＢ無彩色（ａ＝０，ｂ＝０）のデジタル画像（反射濃度０．１＝Ｌ約９１、同０．４＝Ｌ約６９、同０．７＝Ｌ約５２、同１．０＝Ｌ約３８、同２．０＝Ｌ約１６））が現物７と等しく視認できるようモニタ本体を調整し、
２）プリントにおいては、該デジタルチャート１２をプリンターで印刷したときのプリントアウト１５が約５０００ｋ色評価蛍光ランプを有するライトボックス１３の照明下で原物７及びモニタ画面の該デジタルチャートデータ１２と色、明るさ、コントラストができるだけ一致するよう出力を調整し、
３）スキャナ取り込みにおいては、現物７が記録されたネガフィルムを取り込み、モニタに呼び出して５段階各部が現物７に近似するよう調整をおこない、Ａメニューにおいては、すべての撮影画面を画面ごとの調整なしにその明るさ情報（Ｌ）及び色情報（ａ、ｂ）を固定した同一データを用いて調整し、Ｂメニューにおいては色情報（ａ、ｂ）は固定するが、撮影画面の明るさ（Ｌ）だけはそれぞれの各撮影画面の全体明度をもとに自動または感覚的手動調整を可能にすることによって、ニーズに応じて、フィルムに撮影された画像の正確な画像調整と厳密な入出力を可能にすることを特徴としたフィルムスキャナの入出力法。
【発明の詳細な説明】
【０００１】
【発明の属する技術分野】
銀塩プリント用、デジタル用として、１３５フィルム等の各種のネガフィルムをスキャナで取り込み、プリントし、ＣＤＲ製作をおこなうフィルムからのスキャナの入出力法に関わる。
【０００２】
【従来の技術】
従来のフィルムスキャナでの画像取り込みは、取り込まれるその駒ごとに、またはフィルム一本分の全駒に撮影されている画像全体の平均色調と平均明度をもとに調整され、呼び出されたモニタ画像は視感により感覚調整される。
【０００３】
【発明が解決しようとする課題】
（取り込みにおける問題点）
従来の、画面の駒ごとに色と濃度を調整する自動取り込み法では、画面の色及び濃度がそれぞれ異なるがそれゆえに、白いドレスの白が濁り、黒が多い画面では黒が明るくなるというデンシテイフェリア、強い色や、色バック使用ではその色が抑えられて補色に色が偏るというカラーフェリアが避けられず、また、全駒の平均値を使う場合には、ネガごとに微妙に基準が偏り、フィルムがカットされたあとでは最初の同時プリントとは色が異なってくるという問題があった。
そして、感覚調整では人により、その都度、また焼き増しをするたびに色が異なり、いずれにしても正しい撮影結果がだせず、画像の再現性と安定性に欠けるという大きな問題があり、高精度カメラや高性能フィルムでリバーサルなみの撮影をしてもネガ撮影ではほとんど意味がなく、高いレベルのニーズには答えられないという構造上の根本的な欠陥があった。
【０００４】
（画像処理とプリントアウトにおける問題点）
さらに、かりに正しいデータが得られたとしても、モニタ及びプリント調整では、その調整基準がこれまでは不明確であったこともあり、モニタ及びプリントを正しく調整すること自体が困難であったためにモニタとプリントアウトの色が合致せず、したがって確実な調整ができないというもうひとつの大きな問題点があった。
【０００５】
【課題を解決する為の手段】
そこで本発明では、以下に述べる方法によってそれらの問題を解決している。
すなわち、本発明では、スキャナ取り込みから、モニタ調整、プリントアウト全般に対して明確な調整基準を用いる。
【０００６】
すなわち、その調整基準は無彩色の反射濃度：０．７（反射率：約２０％、Ｌ；約５２）を中心に中間明度及び白、黒の５段階反射基準（以下、５段階基準チャート）を用いてスキャナ取り込みから、モニタ調整、プリントアウトにおいて、それぞれの段階が正しく再現されるように調整するとともに、フィルムスキャナでは、その基準チャートが各フィルムの種類に応じて正しく再現される各データの色情報（ａ、ｂ）と明るさ情報（Ｌ）の両方または色情報のみを固定した状態で撮影画像を取り込んでプリント可能とする機能を与えることによってこれを解決している。
すなわち、１３５等の一連のネガフィルムからの入出力を、モニタ調整においては、反射濃度０．７を中心に中間明度（０．４と０．１０）及び白（０．１）、黒（２．０）の反射型５段階無彩色基準チャート７を約５０００ｋ色評価蛍光ランプを有するライトボックス８に配してこれを隣接さたモニタ１０の画面１１に呼び出した該反射型５段階無彩色基準チャート１２のデジタルデータが以下のＲＧＢ無彩色（ａ＝０，ｂ＝０）のデジタル画像（反射濃度０．１＝Ｌ約９１、２は同０．４＝Ｌ約６９、同０．７＝Ｌ約５２、同１．０＝Ｌ約３８、同２．０＝Ｌ約１６）になるよう調整し、プリントにおいては、該デジタルチャート１２をプリンターで印刷したときのプリントアウト１５が１３のライトボックス照明下で原物７及びモニタ画面の該チャート１２と色、明るさ、コントラストができるだけ一致するよう出力を調整し、スキャナ取り込みにおいては、ネガフィルムに記録された該チャート１７をモニタに呼び出して５段階各部が上記適正データに近似するよう調整をおこない、Ａメニューにおいては、すべての撮影画面を画面ごとの調整なしにその明るさ情報（Ｌ）及び色情報（ａ、ｂ）を固定した同一データを用いて調整し、Ｂメニューにおいては色情報（ａ、ｂ）は固定するが、撮影画面の明るさ（Ｌ）だけはそれぞれの各撮影画面の全体明度をもとに自動または感覚的手動調整を可能にすることによって、ニーズに応じて、フィルムに撮影された画像の正確な画像調整と厳密な入出力を可能にするよう構成される。
【０００７】
（スキャナ取り込みの基本）
このように、スキャナ取り込みでは、上記基準チャートが記録されたフィルムは、自動的にそのネガが読み取られ、各段階がグレイバランスされて設定された後に、全画面が同一データで取り込まれることにより、撮影結果の正しいリバーサルなみの取り込みが可能になる。
【０００８】
なお、基準チャートが撮影されていない通常のフィルムに対しては、次のＢモードが用意される。
すなわち、各社各種のネガ（及びポジ）フィルムにより該５段階基準チャートを適正露光し現像して得られた基準ネガのグレイバランスデータをあらかじめ取り込み基準としてコンピュータにインプットしておき、フィルムの種類に応じてそのフィルムに対応したデータが自動呼び出しされ取り込みデータとして設定されるよう構成される。
【０００９】
これにより、Ａモード、Ｂモードともに、各基準チャートの各段階が正しい濃度でＲＧＢデータ（Ｌ、ａｂデータ）が正しくグレイバランスするその取り込み条件を固定して設定した状態で全駒の撮影画像を焼き付けることを取り込みの基本とする。
つまり、基準チャートが正しく再現される標準データで駒ごとの調整をおこなわずに取り込まれるコンタクトプリントや、リバーサル撮影で得られるスライド同様の厳密撮影結果が取り込まれて、ＣＤＲ書込及びプリント露光が可能になる。
【００１０】
このように色も濃度も固定した取り込みをおこなうＡメニューとともに、さらに色情報つまり色調（カラーバランス）は基準チャートで固定し、明るさ情報つまり画像濃度は駒ごとに画像の平均明度で自動調整する、［０００６］で示したＢメニューの機能をもたらすことにより、色はリバーサルに準じながら露出の失敗だけが修正されるこれまでにない効果を有するメニューが得られる。
これを各Ａモード、Ｂモードに対応させることにより、四種のコースがもたらされ、従来の調整法をＣとするなら、合計５種類の取り込みが可能になることによって、従来の取り込みにおける問題の多くが解決できることになる。
【００１１】
【実施例】
図１は、本発明の各種の基本調整に用いる５段階基準チャートの濃度説明図である。図中、１は反射濃度０．１（Ｌ＝約９１）、２は同０．４（Ｌ＝約６９）、３は同０．７（Ｌ＝約５２）、４は同１．０（Ｌ＝約３８）、５は同２．０（Ｌ＝約１６）を有する５段階の各無彩色票からチャートが構成される。
括弧内のＬ値はＣＩＥ  Ｌ＊ａ＊ｂ＊表色法のａ＊及びｂ＊を０としたときのＬ＊値であり、以下はＬ＊ａ＊ｂ＊ともに＊を省略、また反射率、濃度との関連値はＪＩＳ  Ｚー８７２９付表に準じている。
【００１２】
なお、Ｂモードの場合は、フィルムの発色はフィルムの種類に応じて異なるので、各社各種のそれぞれのフィルムにより、第１図の基準チャートを昼光用は５５００ｋ、電灯光用は３２００ｋといった適正光源で撮影して各種の基準ネガを製作し、モニタ上でチャートの各段階が無色（ａ＝０、ｂ＝０）にて上記適正Ｌ値になるよう、各部段階を調整したそのデータを保存し、スキャナ取り込みでは、取り込むネガの種類に応じてその特定ネガの基準データを呼び出して取り込みをおこなう。
なお、ここでいうＢモードの特定ネガの基準でータとは、特定ネガに撮影された第１図の基準チャートのａ、ｂ値が上記の正常な値（ａ＊及びｂ＊を０としたときのＬ＊値）に正しく補正されたときの補正データであり、その基準チャートのない特定ネガはその変換でータを用いて調整され出力される。
【００１３】
その際、ＡモードＡメニューでは、のべたように明るさ情報（Ｌ値）と色情報（ａ、ｂ）の両方が固定され、色調、濃度ともに、適正は適正、露出補正、朝夕の色彩効果、フィルター効果、また撮影の失敗も含めて、リバーサルなみに厳密な撮影結果を得ることができる。
つまり、リバーサルフィルムは反転現像によりプリントなしにポジの色再現がおこなわれるので、指定された色温度の光源で正しい露出で撮影すれば正しい色再現画像が得られる。しかし、ネガでも、ＡモードＡメニューでは画面ごとの調整はおこなわれないので、リバーサルと同様な結果が得られるということである。
しかしながら、フィルター使用ミス、露出の過不足などの失敗は失敗として結果にあらわれることになるので、ＡモードＢメニューで色情報（ａ、ｂ）を固定し、明るさ情報（Ｌ値）を画面ごとに自動もしくは手動で調整することにより、色はリバーサルに準じながら露出の失敗がほどほどに修正されたプリントがもたらされる。
その理由は、リバーサルプリントでは、プリント時に、それぞれの画面ごとに明るさ（露光）の補正をしなければ、露出の過不足がそのまま結果に生じる。そこで銀塩減法では同一補正フィルターで露光秒数だけを調節すれば濃度の過不足が救済でき、デジタルでは、色度ａ、ｂを動かさず、Ｌだけを調整すれば、同じカラーバランスで濃度だけが調整でき、銀塩カラープリントと同じ結果が得られるからである。
【００１４】
また、色情報（ａ、ｂ）は昼光以外の光源撮影では、日陰、タングステン、蛍光灯などに応じて、適当ａｂ調整値をＢモードに追加することにより、誰にでも試行錯誤なく、容易、迅速な感覚補正も可能になり、したがって、厳密撮影結果を可能にしながら、明るさと色が感覚的に調整可能として、更に多様なニーズに対応可能にな機能と効果を得ることが可能になる。
その場合の適当ａｂ調整値は、リバーサルでは、日陰など色温度の高い照明で撮影した画面はそのままでは青みを帯びるので青を抑える標準的アンバー系、タングステン撮影など色温度の低い照明で撮影した画面はそのままでは赤みを帯びるのでそれを抑える標準的ブルー系、蛍光灯では一般的に緑っぽくなるので標準的マゼンタ系フィルターといったようにフィルター調整がおこなわれるそれと同等のａｂ調整値を、したがって、ネガの場合は、補色にプリントされるのでリバーサルとは逆の色変換値を用いればよい。
また、ここでいう厳密撮影結果とは、現行のスキャナの入出力では、画面ごとに色と濃度に対して好む好まざるにかかわらず補正が働く。もっとも分かりやすい現象は、意図的に赤フィルターを用いて撮影してもスキャンニング、プリンテイングで自動補正され変哲のない普通の画面になり、そして［００１９］にて示されるゴルフボールの例ように著しいカラーフェリアが生じて正しい色再現ができなくなるが、こういうことのない、正しい撮影結果をいう。つまり、通常では、正しい撮影をおこなっても、画面ごとの必ずしも正しくない補正により歪められて正しい結果をだすことができないという問題が本発明で解決できるということである。
【００１５】
以上の機能を、従来もたらされる自動取り込み調整機能に追加することにより、すでにのべたように、Ａモードによれば、リバーサルに準じた撮影時の露出補正効果（意図的な露出）、フィルター使用効果を含めた厳密撮影結果がネガにおいて可能になる。なぜなら、通常の現行出力（スキャナ取り込み、プリント）ではいずれも、それぞれの画面ごとに全体色調と全体明度に応じた調整がなされるから、露出を過不足に変えて撮影しても、どれも同じ調子のプリントに仕上がるが、ここＡモードでは画面ごとの調整は一切おこなわないので、撮影結果が正しくだせることになる。
またＢメニューで濃度だけが調整できるその理由は、カラーバランスを固定した状態で、画面の明度がカメラのＴＴＬ自動露光同様に補正できることになるからである。
【００１６】
そして、メニューごとにモードとメニューが明示されたインデックスプリントに該プリントデータが記入保存されて次回プリントにも該データが使用可能となり、焼き増しでも同じ結果が得られるなど、従来の画像環境を大きく改善し、今後の多様化の時代に対応できるラボ環境を整えることが可能になる。
【００１７】
（モニタ調整の基本）
次に、正しいデジタルデータが得られても、正しいプリントができなければ意味がない。そこで本発明では、あらかじめ、取込みの前に、以下に述べるようにモニタとプリントアウトを正しい状態に調整して、画像取り込みから最終段階までの画像処理を適正におこなえるよう調整される。
すなわち、本発明では５段階基準チャートを一連の機器に調整基準として用いるが、チャートの各部の明るさ及び色は、環境光によって大きく異なってくる。そこで本発明では、第２図に示すように、モニタ画面に隣接させて標準の光に近い、約５０００Ｋの色評価用蛍光灯を有するライトボックスをもたらし、その照明下に該５段階基準チャートの現物をもたらすとともに、隣接させるモニタ画面には該５段階基準チャートと等しい明度関係のデジタル基準（反射濃度０．１＝Ｌ約９１、２は同０．４＝Ｌ約６９、同０．７＝Ｌ約５２、同１．０＝Ｌ約３８、同２．０＝Ｌ約１６）の基準チャートそっくりの無彩色（ａ＝０，ｂ＝０）のデジタル画像を製作してこれを調整時に呼び出し、各段階の色と濃度が約５０００Ｋの色評価用蛍光灯で照明される現物のチャートと等しい色（無色）、等しい明るさ段階に眼で見て認識できるようにモニタ本体の色と明るさ、コントラストの基本調整をおこなう。
なお、ここでいう「基準チャートそっくりの無彩色（ａ＝０，ｂ＝０）のデジタル画像」とは、反射型基準チャートの各段階の実際の反射率を、ＪＩＳ変換表（  Ｚー８７２９付表）をもとに上記Ｌ値でータで画像ソフトにより作成したデジタル画像であり、正しくモニタに表示すれば原物そっくりに見え、その正しいプリントアウトがおこなえば反射型基準チャートの複製が印刷される関係のＲＧＢデジタル画像をいう。
【００１８】
（プリントアウト調整の基本）
そして一方、プリンターから打ち出されるプリントアウトは、画像ソフト、あるいはプリンタードライバーの設定しだいで多様な色調、濃度に偏ってプリントされることになるので、モニタ画像がそっくりに印刷されるようにするために、該５段階デジタル基準データをプリントしたときは、そのプリントアウトを標準ライトボックスに入れたときに、プリントの５段階画像がモニタ画像及び現物の５段階基準チャート三者の画像の段階の色（無色）、明るさができるだけ一致するよう、画像ソフト、あるいはプリンタードライバーによってプリンターのＲＧＢ（またはＬａｂ）出力データを調整することによっておこなう。
【００１９】
【作用】
このようにして、第２図で示した基準チャートの現物７（及び各種物体色の現物）とモニタ画像１２、及びプリントアウト１５の三者の色、明暗、コントラスト等の色関係と明暗関係ができるだけ一致するよう調整されることにより、取り込みと画像調整とプリント調整が的確におこなえる適正な周辺機器を含めた入出力の環境が整うことになる。
すなわち、スキャナ取込みを図３において説明すると、本来白いはずの１８以降に示す白いゴルフボールは、その背景となる１９以降の色が仮に青、順次に緑、赤、黄、マゼンタ、シアンである場合、これを現行の通常の駒ごとに画面の全体色調で平均化するよう色補正すると、その補正で強い色が抑えられる結果、白いゴルフボールは１９では黄色、２０ではマゼンタ、２１ではシアン、２２ではブルー、２３ではグリーン、２４ではレッドに偏って取り込まれることになるが、１７の基準チャートを正しい関係に調整した条件を固定し、駒ごとの調整をおこなわないで１９以降を取り込めば、どの画面も白いゴルフボールとして背景色も歪まずに正しく記録され、その正しい状態がモニタに映し出され、映し出された画像が正しくプリントアウトされることになる。
また、図４の２５以降の撮影時に露光量を変えて段階撮影（ブラケッティング）された画像は、通常のプリントでは５枚ともネガの区別ができないほど、あたかもすべてが適正露出で撮影されたごとくに出力されることになるが、上記同様に１７の基準チャートを正しい関係に調整した条件を固定し、駒ごとの調整をおこなわないで出力すればそれらは正しい濃淡の出力画像とするできる。ということは、これまでだすことが困難だった撮影時の意図的な露出補正効果が確実にだせるということであり、事実、三分の一絞りの効果がプリント結果にだすことが可能になる。
そして、そのネガ濃度のバラツキが撮影の際に生じた意図しない露出の間違いであった場合は、ＡーＢコースで調整をおこなえば画面ごとにその露出の失敗が修正された画像として出力できることになる。
【００２０】
【発明の効果】
本発明では、すでに述べたように従来おこなえなかったネガからの適正画像の厳密な取り込みと焼き付け、及びモニタによる厳密な画像調整とプリントアウトが可能になる。
すなわち、従来のフィルムスキャナは、一駒ごと、またはフィルム一本分ごとに、色（カラーバランス）は全体色調、明るさは全体明度で画像が自動調整され、また、それが適当でない場合は、人間による感覚調整が付加されるために、いかにリバーサルなみに正しい撮影をおこなっても、これまでは撮影結果が正しく取り込まれ、プリントされることがほとんどできなかった。
【００２１】
ということは、撮影カメラの高度な調整機能も、また使用カラーフィルムの性能もプリントに正しくだす術がなく、焼き増しでも色が変わり、段階露出を与えても同じ濃度になるなど、高精度カメラを使用しながら、使い捨てカメラと同じ結果しか得られず、カメラ操作もほとんど意味をなさないという矛盾が放置されていたということである。
【００２２】
本発明は、以上のべた問題点を根本的に改善し、高度なユーザーのニーズにも応じた画像製作を容易確実におこない、高品質の取り込み及びプリントが可能になる。
【００２３】
つまり、本発明では、明確な色再現基準をもとに取り込みがおこなえるので、ネガに基準チャートを撮影時に記録してあれば、ほとんどベストの結果が得られ、たとえ基準チャートの記録がない通常フィルムで、使用フィルムに応じて使用フィルムの基準チャートデータが呼び出されて取り込まれるので、ネガの通常撮影でリバーサル同様に、露出の過不足やフィルター使用効果も正常に、また露出だけをほどほどに調整された結果が望まれればＢメニューによりそのニーズに対応でき、また、使い捨てカメラや露出が不正確なフィルムは従来メニューでプリントすることにより、使用カメラ、撮影技術、目的に応じた取り込みが自由に選択可能になる。
【００２４】
本発明の取り込みにおける特徴をメニュー別に大別して説明すると、＜Ａメニュー＞は厳密メニューであり、基準チャートの各段階が正しく再現されるその条件を固定して取り込み（または直接的にプリント）される結果、撮影時の露出補正、朝夕などの撮影光源の色、フィルター効果がリバーサルなみの厳密結果が可能になる。
【００２５】
従来からおこなわれている画面の色と明るさをもとに平均的に調整する方法は＜Ｃメニュー＞として、使い捨てカメラ用、低精度カメラ、初心者用メニューとしてほどほどの結果が得られる。
【００２６】
＜Ｂメニューは＞は、色は、基準チャートに従い、リバーサルに準じた発色をもたらしながら、失敗のなかで多く見られる露出の過不足が画面の明るさで自動調整または感覚調整されるメニューであり、撮影カメラ、撮影技術を尊重しながら、自動（ＡＥ）調整のよいところを活かしたメニューとなる。したがって本発明によれば、ユーザーはすくなくとも現状のＣ以外により品質の高いＡＢメニューを選択してより高度なオーダーが可能になる。
【００２７】
なお、ポジフィルムの場合も、ネガの場合と同様に、使用フィルムにより撮影された基準チャートのデータをもとにグレイバランス調整をおこなったデータを使用して取り込めば、フィルムの色やガンマの偏りが修正された、より合理的な取り込みが可能になる。
【００２８】
また、ＣＤＲ製作においては、本発明によればこれらＡ、Ｂ、Ｃメニュー別の同一画像をＣＤＲに入力し、ユーザーが使用目的に応じて選択できるマルチメニューのＣＤＲを供給して、今後のニーズの多様化に対応することが可能になる。その場合、書き込まれる画像データは１種として、取り出すときに要求に応じＡＢＣモードとＡＢメニューが出力時に調整され、その結果をまずはインデックスプリントをおこなって見ることができるようにすることができる。
【００２９】
したがって、通常つくられるインデックスプリントにはモードとメニュー選択を明示され、ユーザーのオーダーがあれば、オーダーごとに何枚かのインデックスプリントを供給することにより、ユーザーにとってはオーダー次第で、一般にはＣ以外にもＡ−Ａ、Ａ−Ｂ，Ｂ−Ａ、Ｂ−Ｂ，といったこれまでにはできなかった同じネガからの多様な種々のプリント結果をインデックスプリントで得ることが可能になり、ニーズが満足されることによりこれまでになかった大きな喜びと楽しみを、業界にはインデックスプリントの需要の増大、メニュー別の注文の増加など、物理的だけでなく、新しいイメージ世界の展開が期待でき、飛躍的な活性化をもたらすことが可能になる。
【００３０】
また本発明では、従来にないメニューが増えるというメリットに加えて、従来より高品質で、精度の高い結果が得られる理由として、独自のモニタ調整法がある。すでに述べたように本発明では、モニタの明るさ、コントラスト（ガンマ）及び色を、約５０００Ｋを有する色評価蛍光灯により照明された５段階基準チャートと等しい関係のデジタル基準チャートをを呼び出して等しく見えるように調整し、かつそのモニタ画像が正しくプリントアウトできる画像処理環境をもたらしている。
【００３２】
いいかえれば、本発明では基準チャート（物体色）とモニタ画像、更にプリントアウト画像三者の色、明るさ、コントラストが一致する関係に構成してあるので、従来のように、モニタと色が合わないというトラブルも解決され、感覚調整においてもより正確な画像調整が実現するものである。
【図面の簡単な説明】
【図１】  本発明の基準チャート画面の一実施例を示す正面図である。
【図２】  本発明の基準チャートを正しく視覚できるライトボックスとスキャナ及びモニタ（デイスプレイ）、プリントされたプリントアウトとの関係を示す説明図である。
【図３】  基準チャートが記録され、背景色を変えて白いゴルフボールが撮影されたネガフィルムである。
【図４】  基準チャートが記録され、順次、露光量を段階的に多くして被写体を撮影したネガフィルムを示す。
【符号の説明】
１  反射濃度０．１（Ｌ＝約９１）の無彩色票
２  同０．４（Ｌ＝約６９）の無彩色票
３  同０．７（Ｌ＝約５２）の無彩色票
４  同１．０（Ｌ＝約３８）の無彩色票
５  同２．０（Ｌ＝約１６）の無彩色票
６  長巻きフィルム及びカットされたネガを取り込み可能なフィルムスキャナ
７  基準チャートの現物
８  ライトボックス
９  約５０００Ｋ色評価用蛍光ランプ
１０  モニタ本体
１１  モニタ画面、
１２  基準チャート７の現物と等しいＬ値関係をもたらしたデジタル基準チャート
１３  ８と同様のライトボックス
１４  約５０００Ｋ色評価用蛍光ランプ
１５、１４によって照明される印刷されたプリントアウト
１６  現像されたネガ
１７  その基準チャート部
１８  白いゴルフボール
１９  青い背景色
２０  緑の背景色
２１  赤い背景色
２２  黄色背景色
２３  マゼンタの背景色
２４  シアンの背景色
２５〜２９  ５段階露出過不足部をあらわす。
【図１】
0004395646.tif 000002
【図２】
0004395646.tif 000003
【図３】
0004395646.tif 000004
【図４】
0004395646.tif 000005